(57)【要約】【課題】住宅前にスペースをとる宅配ボックスを設置しなくても、宅配ボックスと同様の恩恵を居住者と配達者との双方が享受できるようにする。【解決手段】電磁ロック１８により錠の開閉を制御可能な制御装置１７を備えた突出し窓１０を設け、この突出し窓１０は住宅の扉１５に近接して設けられ、突出し窓１０を通じて荷物を家屋内に導入した後、電磁ロック１８を施錠可能とする。【選択図】図１
2019136226.tif 000002
【特許請求の範囲】
【請求項１】
電磁ロックにより錠の開閉を制御可能な制御装置を備えた突出し窓であり、
前記突出し窓は住宅の扉に近接して設けられ、
前記突出し窓を通じて荷物を家屋内に導入した後、前記電磁ロックを施錠可能とする突出し窓。
【請求項２】
前記突出し窓は施錠の指示を入力可能な入力装置を備えてあり、
前記制御装置は、入力装置からの指示をうけて電磁ロックを施錠する請求項１に記載の突出し窓。
【請求項３】
前記制御装置は、前記扉の前方を撮影可能なウェブカメラの映像を、携帯電話端末へ転送する映像転送手段を有する請求項１又は２に記載の突出し窓。
【請求項４】
前記制御装置は、所定のトリガー条件の充足を検知したタイミングで前記映像転送手段を開始させる請求項３に記載の突出し窓。
【請求項５】
前記制御装置は、前記携帯電話端末からの解錠指示に応じて、前記電磁ロックを一時的に解錠させる一時解錠手段を実行する、請求項１乃至４のいずれかに記載の突出し窓。
【発明の詳細な説明】
【技術分野】
【０００１】
この発明は、住宅に設置される突出し窓を利用した宅配窓口に関する。
【背景技術】
【０００２】
単身世帯や核家族の増加によって、宅配便が届けられた時間に居住者が在宅しておらず、再配達となってしまい、受け取りが遅れたり、物流の負荷を増加させるケースが社会全体で増加している。これに対して、住宅の前や共同管理区域に設けた宅配ボックスに宅配物を封入しておき、パスワードや所定の鍵を有する受取人が後日宅配物を受け取れるようにする仕組みが検討されている。
【０００３】
ただし、宅配ボックスの容量は基本的に限られており、複数個の荷物が重なると利用できなかったりする場合がある。これに対して、特許文献１のような複数個の荷物を収納可能な宅配ボックスも検討されている。
【先行技術文献】
【特許文献】
【０００４】
【特許文献１】特開2017-144159号公報
【発明の概要】
【発明が解決しようとする課題】
【０００５】
しかしながら、集合住宅のように住宅前のスペースが限られていたり、防災上廊下での設置が許可されなかったりして、大きな宅配ボックスが設置できないケースがある。
【０００６】
そこでこの発明は、住宅前にスペースをとる宅配ボックスを設置しなくても、宅配ボックスと同様の恩恵を居住者と配達者との双方が享受できるようにすることを目的とする。
【課題を解決するための手段】
【０００７】
この発明は、
電磁ロックにより錠の開閉を制御可能な制御装置を備えた突出し窓であり、
前記突出し窓は住宅の扉に近接して設けられ、
前記突出し窓を通じて荷物を家屋内に導入した後、前記電磁ロックを施錠可能とする突出し窓により、上記の課題を解決したのである。
【０００８】
突出し窓は人が入れない程度に開けることができる窓として、風通しと防犯との両方の特性を兼ね備えている。これを扉の近傍に設置することで、限定的に屋内への荷物の挿入が可能な程度の隙間として利用することができる。
【０００９】
一つの実施形態としては、初期状態では電磁ロックを解錠しておく。突出し窓には施錠の指示を入力可能な入力装置を設け、前記制御装置は前記入力装置からの指示をうけて電磁ロックを施錠するようにするとよい。この場合、施錠にあたっては暗証番号を設定する場合と、しない場合との両方の形態が可能である。
【００１０】
ただし、不在時に常時突出し窓を解錠しておくと、猫やタヌキなどの小動物や昆虫などが侵入するおそれもあるため好ましくない。そこで、前記扉の前方を撮影可能なウェブカメラの映像を、居住者の携帯電話端末へ転送する映像転送手段を実行し、居住者が映像から宅配業者であることを確認した場合にのみ、一時的に突出し窓の電磁ロックを解錠させ、荷物を挿入してもらうことができるような形態としてもよい。解錠させる手段としては、暗証番号を携帯電話端末から扉にそなえたスピーカーへ転送して口頭で伝達してもよいし、携帯電話端末からの遠隔操作で解錠できるようにしてもよい。
【００１１】
荷物を挿入された後に突出し窓を閉じられたら、前記電磁ロックを施錠する。これにより、次に解錠するまで小動物等の侵入を防ぐことができる。また、突出し窓から荷物を第三者に盗難される事態を防止する。
【００１２】
前記映像転送手段は常時作動している必要はない。扉の前に来客が来たときのみ作動すればよいので、前記扉に付属して設置された呼鈴ボタンの押下を検知したり、その他のトリガー条件を充足したら、前記映像転送手段を開始させるとよい。または扉付近の人の動きを検知するセンサに連動させてもよい。
【００１３】
また、ウェブカメラとしてマイク付きのものを用い、前記映像転送手段が映像とともに音声も転送するようにしてもよい。具体的には、遠隔操作用インターホンシステムと連動してもよい。
【発明の効果】
【００１４】
この発明により、玄関前にスペースが十分確保できない住宅環境であっても、不在時に荷物を受け取ることが容易にできるようになる。また、住宅内に荷物を導入できるため、運び込む手間を省ける。さらに、一回の不在期間中に複数個の荷物が到着する場合でも、問題なく運用することができる。受け取れる荷物としては、重さや形状にほぼ制限がないため、宅配便の段ボールや、配達型乳製品、共同購入商品、購読雑誌など、特に限定されず多様な荷物の受け取りに対応できる。
【図面の簡単な説明】
【００１５】
【図１】この発明にかかる突出し窓の設置形態例を示す正面図
【図２】図１の設置形態例の断面図
【図３】図１の設置形態例の突出し窓部分の拡大断面図
【発明を実施するための形態】
【００１６】
以下、この発明について具体的な実施形態とともに説明する。
この発明は住宅に設けられて主に宅配ボックスの代用として使用可能とした突出し窓１０である。この突出し窓１０が設けられた扉１５付近の実施形態例の前景を図１に、垂直断面図を図２に示す。
【００１７】
突出し窓１０は、上枠２１との接触部分を軸として、障子部分１１が下から開いて外側へと突き出る窓である。突出し窓１０は住宅の扉１５の近くに設けられてあり、不在時に来訪した宅配業者が荷物をそのまま導入しやすい位置であると望ましい。
【００１８】
障子部分１１を上向きに開ける構造は特に限定されない。その構成例を図３の垂直断面図に示す。上枠２１に設けられた軸部２２に、障子部分１１の上端に設けた引掛部２６が引っ掛けてあり、軸部２２を回転軸として障子部分１１が前方へとスイング可能になっている。この他、蝶番により接合及び可動できるようにした形態でもよい。
【００１９】
この突出し窓１０の下枠２３には電磁ロック１８が設けてある。電磁的な指示を受けて、解錠し、または施錠することができる機構である。図３の例では障子部分１１側に設けられた永久磁石を有するパーツ１８ａが、電磁石を作動させるパーツ１８ｂと合わさって、施錠時は磁石により閉ざされ、解錠時は磁力を一時的に切断する。ただし、本発明で用いる電磁ロック１８の形態はこれに限定されるものではない。
【００２０】
この突出し窓１０には電磁ロック１８による錠の開閉を管理する制御装置１７が設けてある。制御装置１７は、外部からの指示に応じて電磁ロック１８を施錠させる施錠手段や、解錠指示に応じて電磁ロック１８を解錠させる解錠手段を実行可能である。
【００２１】
この制御装置１７は突出し窓１０に付属する専用装置であって家庭内ルータ等のサーバに接続されるものでもよいし、家庭内ルータが制御装置１７を兼務するものでもよい。
【００２２】
上記の制御装置１７は、インターネット接続機能を有し、居住者が有する携帯電話端末２０と接続できるとよい。制御装置１７は後述するウェブカメラ１２からの映像を携帯電話端末２０に転送する映像転送手段を実行可能であるとよい。また、携帯電話端末２０からの音声を後述するスピーカーに転送する音声転送手段を実行可能であるとよい。
【００２３】
本発明において構成を強制されるものではないが、突出し窓１０を設置する家屋内には、荷物を置ける棚１９が設けてあると望ましい。棚１９が無いと玄関内部に荷物が落下してしまう。床面まで続くスロープを設けてもよいが、荷物の種類によっては衝撃が加わる可能性が否定できない。理想的には、突出し窓１０の下枠２３と高さが揃った棚１９が望ましい。この場合、突出し窓１０を開けた配達業者は荷物をスライドさせてそのまま押し込むだけで荷物を安全に格納できる。なお、スライドさせやすくするため、棚１９の上面はある程度滑りやすく平滑性が高いものであると望ましい。具体的には、玄関に置くものとして下駄箱が好適に利用できる。
【００２４】
この発明にかかる突出し窓１０は、さらに追加される構成によって、宅配ボックスの代替として好適に機能させることができる。図１〜３では複数の構成要件についてまとめて記載しているが、これらを全て備えていてもよいし、一部を選択的に備えていても良い。
【００２５】
突出し窓１０及び扉１５の近傍、又は突出し窓１０に埋め込む形で、施錠、解錠、又はその指示や暗証番号を入力可能な入力装置１３を設けてあってよい。特に、突出し窓１０に埋め込む形であると導入しやすく好ましい。図１及び図２の実施形態例では突出し窓１０に埋め込んでいるが、これに限定されるわけではない。入力装置１３は電磁ロック１８と接続され、暗証番号を入力することによって電磁ロック１８を一時的に解錠したり、解錠状態だった電磁ロック１８を施錠したりすることができる。また、入力装置１３が制御装置１７と接続されていてもよい。
【００２６】
突出し窓１０及び扉１５の近傍、又は突出し窓１０に埋め込む形で、ウェブカメラ１２を設けてあってよい。特に、突出し窓１０に埋め込む形であると導入しやすく好ましい。図１及び図２の実施形態例では突出し窓１０に埋め込んでいるが、これに限定されるわけではない。扉１５の前に来た来訪者の姿を撮影し、居住者が遠隔でその姿を確認できるように配置してある。ウェブカメラ１２は制御装置１７に接続され、映像を送信できることが望ましい。また、マイクを備えており、映像とともに音声も送信できると好ましい。
【００２７】
突出し窓１０及び扉１５の近傍、又は突出し窓１０に埋め込む形で、呼鈴ボタン１６を設けてあってよい。特に図示しないが、ボタンとともにマイク及びスピーカーを備えることが望ましい。なお、ウェブカメラ１２がマイクを有する場合はウェブカメラ１２のマイク機能を利用させてもよい。スピーカーは制御装置１７を介して、後述する携帯電話端末２０からの音声を再生できるとよい。また、このマイク及びスピーカーを備えた呼鈴ボタン１６は通常のインターホンとしての機能を有していてもよい。
【００２８】
突出し窓１０の障子部分１１の大きさは特に限定されない。ただし、荷物を挿入可能である必要がある。特に望ましくは、縦が４０ｃｍ以上５０ｃｍ以下程度、横３５ｃｍ以上４０ｃｍ以下である。また、開放する角度は８０度以上にまで開くことが望ましい。
【００２９】
以下、突出し窓１０を用いた荷物の受け取りについての手順例とともに実施形態を説明する。ただしこの発明は以下の実施形態に限定されるものではない。
【００３０】
第一の実施形態では、突出し窓１０は入力装置１３を備えている。初期状態では突出し窓１０の電磁ロック１８は解錠されている。来訪した配達担当者は呼鈴ボタン１６を押しても居住者が応答しないことを確認したら、突出し窓１０を開けて荷物を家屋内に挿入する。挿入後、突出し窓１０を閉鎖し、入力装置１３から施錠の指示を入力する。このとき、暗証番号を設定してもよいし、暗証番号を設定することなく単純に施錠してもよい。施錠の指示を入力装置１３から受け取った制御装置１７は、電磁ロック１８を施錠する。暗証番号を設定することなく施錠された場合でも、帰宅した居住者は家屋の中に入れば荷物が届いているので、特段の開放の手間もなくそのまま荷物を受け取ることができる。ただし、次の外出時には条件を初期状態に戻すリセットを行っておくと良い。一方、暗証番号を設定して施錠した場合、暗証番号を配達業者で一時的に管理しておくと、居住者の不在が継続している間に同一配達業者によって再び追加で荷物を届けようとした時、その暗証番号を入力装置１３から入力されたら、制御装置１７は一時的に電磁ロック１８を解錠させる解錠指示を送信する。電磁ロック１８が解錠されたら配達担当者は追加で荷物を挿入し、入力装置１３からの入力で施錠する。なおこのとき、追加された荷物は基本的に奥へと押し込まれることになるので、棚１９の奥行きは段ボール複数個分以上確保しておくことが望ましい。
【００３１】
次に、第二の実施形態について説明する。第二の実施形態では、突出し窓１０は入力装置１３とウェブカメラ１２とを備えている。基本的な運用方法は第一の実施形態と同様であるが、電磁ロック１８における動きの検知や、障子部分１１の開閉、呼鈴ボタン１６の押下など、物理的動作の有無をトリガーとして制御装置１７が認識可能としておく。トリガーの条件が満たされたら、制御装置１７はウェブカメラ１２により扉１５の前方の光景を所定時間に亘って録画させる。所定時間は特に限定されないが、荷物挿入前後の作業を確認するため、１分以上５分以下程度の時間であるとよい。また、入力装置１３により施錠の指示がされ、電磁ロック１８が施錠されたことを確認したタイミングで録画を終了してもよい。制御装置１７はこの録画された動画ファイルを保持する記憶装置を有しているとよい。また、制御装置１７に予め居住者の連絡先アドレスを登録可能としておき、録画完了後に動画ファイルを当該連絡先アドレスにメールなどのプロトコルを用いて送信するファイル送信手段を実行する。居住者は連絡先アドレス宛に届いた動画ファイルを閲覧して、何者が来訪したのかを確認できる。また、届いた荷物を確認でき、帰宅を急ぐべきかの判断に用いることもできる。
【００３２】
次に、第三の実施形態について説明する。第三の実施形態では、突出し窓１０は入力装置１３とウェブカメラ１２とを備えている。ウェブカメラ１２で録画された映像及び音声は、制御装置１７に送られ、制御装置１７はこの映像及び音声をリアルタイム送信する映像転送手段を有する。また、制御装置１７はリアルタイム送信する宛先である居住者の携帯電話端末２０のアドレスや電話番号等の識別情報を有する。携帯電話端末２０は送られた映像及び音声をリアルタイムで確認できる閲覧用ソフトを備えておく。また、制御装置１７は携帯電話端末２０から送られてきた音声をウェブカメラ１２又は呼鈴ボタン１６に付属するスピーカーに転送する音声転送手段を有する。この第三の実施形態では、電磁ロック１８を初期状態では暗証番号を設定した施錠状態としておく。制御装置１７は、電磁ロック１８における動きの検知や、障子部分１１の開閉、呼鈴ボタン１６の押下など、物理的動作の有無をトリガーとして認識可能としておく。トリガーの条件が満たされたら、制御装置１７は、上記の映像転送手段を作動させ、居住者の携帯電話端末２０へ映像及び音声を送信する前記映像転送手段を実行するとともに、携帯電話端末２０からの音声を前記のスピーカーへ転送する前記音声転送手段を実行する。これにより、来訪者の姿や荷物の所持を確認し、会話で配達担当者であることを確認できたら、居住者は設定した暗証番号を口頭で伝達する。これを聞いた配達担当者は入力装置１３に伝達された暗証番号を入力する。暗証番号が確認できたら、制御装置１７は電磁ロック１８を解錠して配達担当者が一時的に突出し窓１０を開放できるようにする。配達担当者が荷物を突出し窓１０から挿入し、突出し窓１０が閉鎖されたことを確認した制御装置１７は、電磁ロック１８を再び施錠する施錠手段を実行する。このとき、暗証番号を当初のままとしておいてもよいし、新たに設定し直した暗証番号を携帯電話端末２０にメールなどで送信してもよい。なお、前記映像転送手段を実行するとともに、一連の映像及び音声を制御装置１７又はその付属装置に動画ファイルとして保存する録画保存手段を実行しておくと、防犯上さらに望ましい。また、この動画ファイルをメール等で送信してもよい。
【００３３】
第三の実施形態の応用形態として、暗証番号を口頭で伝えることなく、携帯電話端末２０からの遠隔での解錠指示を受けた制御装置１７が、電磁ロック１８を一時的に解錠する一時解錠手段を実行できるようにしてもよい。
【００３４】
この発明にかかる突出し窓１０のうち、制御装置１７と携帯電話端末２０を連携させた実施形態で利用する場合には、携帯電話端末２０には、前記音声転送手段のために音声入力する機能や、前記映像転送手段の映像及び音声をリアルタイム受信して再生する機能や、前記一時解錠手段のために指示を出す機能などを備えたアプリケーションをインストールしておくことが望ましい。
【符号の説明】
【００３５】
１０  突出し窓
１１  障子部分
１２  ウェブカメラ
１３  入力装置
１５  扉
１６  呼鈴ボタン
１７  制御装置
１８  電磁ロック
１９  棚
２０  携帯電話端末
２１  上枠
２２  軸部
２３  下枠
２６  引掛部
【図１】
2019136226.tif 000003
【図２】
2019136226.tif 000004
【図３】
2019136226.tif 000005